(57)【要約】【課題】表示内容や操作内容に応じてディスプレイの向きを切り替えることで使用の利便性を向上させることができると共に、ディスプレイによって車両の操作スイッチやセレクトレバー等の視認性や操作性が損なわれることを防止して車両の安全性を確保できる車載装置を提供すること。【解決手段】車両の車室（１２０）内のコンソールパネル（１００）に設けられた収容部（１０１）に収容されて前面部（１１）のみが露出した状態で設置される装置本体（１０）と、前面に表示画面（２１）を有するディスプレイ（２０）と、装置本体（１０）の前面部（１１）とディスプレイ（２０）の背面部（２２）とを連結する連結部（３０）とを備える車載装置（１）であって、連結部（３０）は、ディスプレイ（２０）を表示画面（２１）の面内で回転させる回転機構（５０）を備える。【選択図】図２
2019182059.tif 000002
【特許請求の範囲】
【請求項１】
車両の車室内のコンソールパネルに設けられた収容部に収容されて前面部が露出した状態で設置される装置本体と、
前面に表示画面を有するディスプレイと、
前記装置本体の前記前面部と前記ディスプレイの背面部とを連結する連結部と、を備え、
前記連結部は、前記ディスプレイを前記表示画面の面内で回転可能に支持する回転機構を備える
ことを特徴とする車載装置。
【請求項２】
前記表示画面は長方形状であり、
前記ディスプレイは初期位置から左右９０度ずつのみ回転が可能であり、
前記ディスプレイが前記初期位置で前記表示画面が横向きであり、前記ディスプレイが前記初期位置から左右それぞれに９０度回転すると前記表示画面が縦向きとなる
ことを特徴とする請求項１に記載の車載装置。
【請求項３】
前記回転機構は、
前記ディスプレイの前記背面部側に固定されると共に前記装置本体又は該装置本体に取り付けた部材に対して回転可能に支持された回転体と、
前記回転体に設けた係合突起と、
前記装置本体又は該装置本体に取り付けた部材に設けた取付部に対して着脱可能に取り付けられて前記係合突起に係合することで前記装置本体又は該装置本体に取り付けた部材に対する前記回転体の回転を規制する回転規制部材と、を備える
ことを特徴とする請求項１又は２に記載の車載装置。
【請求項４】
前記回転体は、外縁が円形の板状部材であり、
前記係合突起は、前記回転体の前記外縁から径方向の外側へ突出する突起であり、
前記回転規制部材は、前記係合突起の一方の側面のみに当接することで前記回転体の一方向への回転のみを規制する規制片を備える
ことを特徴とする請求項３に記載の車載装置。
【請求項５】
前記回転規制部材は、前記係合突起の右側の側面のみに当接することで前記回転体の右向きの回転を規制する右回転規制部材と、前記係合突起の左側の側面のみに当接することで前記回転体の左向きの回転を規制する左回転規制部材と、を含む
ことを特徴とする請求項３又は４に記載の車載装置。
【請求項６】
前記回転体は、前記ディスプレイの前記表示画面に直交する軸周りで前記装置本体又は該装置本体に取り付けた部材に対して回転可能に支持されている
ことを特徴とする請求項３乃至５のいずれか１項に記載の車載装置。
【請求項７】
前記ディスプレイの前記表示画面は、タッチパネル式の表示画面である
ことを特徴とする請求項１乃至６のいずれか１項に記載の車載装置。
【請求項８】
前記装置本体に取り付けた部材は、該装置本体の前記前面部に対して上下方向に揺動可能に支持された揺動部であり、
前記回転体は、前記揺動部に対して回転可能に支持されており、前記揺動部の揺動で前記ディスプレイの前記表示画面の仰角が変化する
ことを特徴とする請求項１乃至７のいずれか１項に記載の車載装置。
【発明の詳細な説明】
【技術分野】
【０００１】
本発明は、車両の車室内に搭載されて映像再生装置や音楽再生装置、ナビゲーション装置等として用いられる車載装置に関し、詳細には、コンソールパネルの収容ボックス内に収容される装置本体と、この装置本体に連結された表示画面を有するディスプレイとを備える車載装置に関する。
【背景技術】
【０００２】
従来、車両（自動車）の車室内に搭載されて映像再生装置や音楽再生装置、ナビゲーション装置等として用いられる車載装置として、例えば特許文献１に示すような、車室内の運転席付近に設けたコンソールパネルに設置するディスプレイ付きの車載装置がある。この種の車載装置は、コンソールパネルの収容ボックスに装置本体を埋め込んで取り付ける。このような埋込型の車載装置では、装置の寸法は収容ボックスの寸法に依存する。そのため、収容ボックスの寸法である２ＤＩＮサイズのものが主流である。
【０００３】
しかしながら、例えば２ＤＩＮサイズの埋込型の車載装置の場合、装置の前面パネル（全面部）に設ける表示画面のサイズは、２ＤＩＮサイズに収まる７インチ以内のサイズとなってしまう。装置の前面パネルに操作スイッチ等を配置すると、その分さらに表示画面サイズが小さくなってしまう。
【０００４】
また、上記のような車載装置として、従来、装置本体とディスプレイ（表示画面）とを分離して、ディスプレイを装置本体の前面パネルよりも手前側に張り出した位置に支持するタイプの車載装置がある。このような車載装置として、例えば特許文献２に示す車載装置がある。このタイプの車載装置であれば、装置本体の前面パネルのサイズに制限を受けることなく表示画面のサイズを設定することができるので、大画面のディスプレイとすることも可能である。
【０００５】
ところで、上記のような車載装置の表示画面は長方形状であるが、従来は表示画面が横向き（横長）の状態で固定されていた。しかしながら、表示内容によっては、表示画面を縦向き（縦長）の状態とした方が有効活用できて利便性が向上する場合がある。また、タッチパネル式の表示画面でも、画面の向きを縦向きでも使用できれば操作性がより向上すると考えられる。したがって、表示内容や操作内容に応じて表示画面の横向きと縦向きを切り替えることができるようにすることが望ましい。
【０００６】
また、上記のような従来の車載装置では、ディスプレイが装置本体の前面パネルよりも前方に張り出した位置に支持されていることで、ディスプレイの取付位置や取付角度によっては、コンソールパネルのハザードスイッチやエアコンスイッチ類などの視認性や操作性が阻害されるおそれがある。また、車載装置を搭載する車種によっては、コンソールパネルの近傍（インクリメントパネル上など）に変速用のセレクトレバー（シフトレバー）が配置されている場合がある。その場合、セレクトレバーがディスプレイと干渉することで車載装置の取り付けが不可能なおそれがある。
【先行技術文献】
【特許文献】
【０００７】
【特許文献１】特開平１０−１６６９５７号公報
【特許文献２】特開２００５−１１９４９１号公報
【発明の概要】
【発明が解決しようとする課題】
【０００８】
本発明は上述の点に鑑みてなされたものであり、その目的は、表示内容に応じてディスプレイの向きを切り替えることで使用の利便性を向上させることができると共に、ディスプレイによって車両の操作スイッチやセレクトレバー等の視認性や操作性が損なわれることを防止して車両の安全性を確保できる車載装置を提供することにある。
【課題を解決するための手段】
【０００９】
上記課題を解決するため、本発明の車載装置は、車両の車室（１２０）内のコンソールパネル（１００）に設けられた収容部（１０１）に収容されて前面部（１１）が露出した状態で設置される装置本体（１０）と、前面に表示画面（２１）を有するディスプレイ（２０）と、前記装置本体（１０）の前記前面部（１１）と前記ディスプレイ（２０）の背面部（２２）とを連結する連結部（３０）と、を備え、前記連結部（３０）は、前記ディスプレイ（２０）を前記表示画面（２１）の面内で回転可能に支持する回転機構（５０）を備えることを特徴とする。
【００１０】
本発明にかかる車載装置によれば、装置本体とディスプレイとを連結する連結部は、ディスプレイを表示画面の面内で回転可能に支持する回転機構を備えることで、ディスプレイを表示画面の面内で回転させてその向きを切り替えることが可能となる。これにより、表示内容に応じて表示画面の縦向きと横向きとを切り替えることが簡単に行えるようになる。したがって、車載装置の使用の利便性を向上させることができる。また、ディスプレイがその初期位置で車両の操作スイッチやセレクトレバーと干渉したりそれらの視認を妨げる場合であっても、回転機構でディスプレイを回転させるだけで当該干渉や視認の妨げを解消することができる。したがって、ディスプレイによって車両の操作スイッチやセレクトレバー等の視認性や操作性が損なわれることを回避できるので、車両の安全性を確保することができる。
【００１１】
また、上記の車載装置では、前記表示画面（２１）は長方形状であり、前記ディスプレイ（２０）は初期位置から左右９０度ずつのみ回転が可能であり、前記ディスプレイ（２０）が前記初期位置で前記表示画面（２１）が横向きであり、前記ディスプレイ（２０）が前記初期位置から左右それぞれに９０度回転すると前記表示画面（２１）が縦向きとなるようにしてよい。
【００１２】
この構成によれば、回転機構によって初期位置のディスプレイを左向き又は右向きに回転させるだけで、表示画面を横向きから縦向きに切り替えることが可能となる。したがって、表示画面の表示内容や操作内容に応じて表示画面の向きを迅速かつ的確に切り替えることができるので、車載装置の使用時の利便性をさらに向上させることができる。
【００１３】
また、上記の車載装置では、前記回転機構（５０）は、前記ディスプレイ（２０）の前記背面部（２２）側に固定されると共に前記装置本体（１０）又は該装置本体に取り付けた部材（３２）に対して回転可能に支持された回転体（４４）と、前記回転体（４４）に設けた係合突起（４４ａ）と、前記装置本体（１０）又は該装置本体に取り付けた部材（３２）に設けた取付部（３２ｂ）に対して着脱可能に取り付けられて前記係合突起（４４ａ）に係合することで前記装置本体（１０）又は該装置本体（１０）に取り付けた部材（３２）に対する前記回転体（４４）の回転を規制する回転規制部材（４５）と、を備えるとよい。
【００１４】
この構成によれば、装置本体の取付部に回転規制部材を取り付けることで、回転機構によるディスプレイの回転を規制することが可能となる。これにより、例えば、ディスプレイを回転させると車両の操作スイッチやセレクトレバー等と干渉したりそれらの視認性を損ねたりする場合には、回転規制部材を取り付けてディスプレイの少なくとも一部の回転を規制することで、ディスプレイが車両の操作スイッチやセレクトレバー等と干渉したりそれらの視認性を損ねたりすることを防止できるようになる。したがって、簡単な構成及び操作のみで車両の操作性を向上させたり安全性をより確実に確保できる車載装置となる。
【００１５】
さらにこの場合、前記回転体（４４）は、外縁が円形の板状部材であり、前記係合突起（４４ａ）は、前記回転体（４４）の前記外縁から径方向の外側へ突出する突起であり、前記回転規制部材（４５）は、前記係合突起（４４ａ）の一方の側面のみに当接することで前記回転体（４４）の一方向への回転のみを規制する規制片（４８）を備えてもよい。
【００１６】
この構成によれば、部品点数を少なく抑えた簡単な構成で、回転体の一方向への回転のみを規制することができる。したがって例えば、ディスプレイを一方向に回転させると車両のスイッチやセレクトレバーと干渉したりそれらの視認性を損ねたりする場合には、回転規制部材を取り付けてディスプレイの当該一方向への回転を規制すれば、操作スイッチやセレクトレバーとの干渉やそれらの視認性の阻害を防止できる。その一方で、ディスプレイの他方向への回転は確保されるので、当該他方向への回転によって車載装置の操作性及び取扱性の向上を図ることが可能となる。したがって、簡単な構成で車載装置の使用時の安全性の確保と操作性及び取扱性の向上との両立を図ることができる。
【００１７】
さらにこの場合、前記回転規制部材（４５）は、前記係合突起（４４ａ）の右側の側面のみに当接することで前記回転体（４４）の右向きの回転を規制する右回転規制部材（４５Ａ）と、前記係合突起（４４ａ）の左側の側面のみに当接することで前記回転体（４４）の左向きの回転を規制する左回転規制部材（４５Ｂ）と、を含み、前記取付部（３２ｂ）は、前記右回転規制部材（４５Ａ）と前記左回転規制部材（４５Ｂ）のいずれか一方又は両方を取り付け可能に構成されていてもよい。
【００１８】
この構成によれば、取付部（３２ｂ）に右回転規制部材（４５Ａ）のみを取り付けることで回転体（４４）の右向きの回転が規制され、取付部（３２ｂ）に左回転規制部材（４５Ｂ）のみを取り付けることで前記回転体（４４）の左向きの回転が規制される。さらに、取付部（３２ｂ）に右回転規制部材（４５Ａ）と左回転規制部材（４５Ｂ）の両方を取り付けることで、回転体（４４）の右向きの回転と左向きの回転の両方が規制されるようになる。したがって、取付部に取り付ける回転規制部材の種類と数を変えるだけで、ディスプレイの回転が許容される向きを所望の向きに設定することが簡単に行えるようになる。また、ディスプレイを回転させたくない場合には、右回転規制部材と左回転規制部材の両方を取り付けるだけで、ディスプレイの左右両方への回転を規制できる。
【００１９】
また、例えば、ディスプレイが初期位置では車両のセレクトレバーと干渉しないが、右向きと左向きのいずれか一方に回転させた位置でのみセレクトレバーと干渉する場合などには、取付部に右回転規制板と左回転規制板のいずれか一方を取り付ける。これにより、ディスプレイがセレクトレバーに向けて回転することを規制できるので、操作者が誤ってディスプレイをセレクトレバーに向けて回転させてしまいセレクトレバーと干渉することを確実に防止できるようになる。
【００２０】
このように、本発明の車載装置によれば、搭載する車種に応じて取り付ける回転規制板を選択することによって、車両の装備とディスプレイが干渉したり視認性を妨げたりすることを防止しながらも、ディスプレイの向きを切り替えて使用することが可能となる。したがって、搭載する車種として幅広い車種を選択可能とすることで製品の汎用性を確保しながらも、使用時の安全性の向上と利便性の向上との両立を図ることができる。
【００２１】
また、上記の車載装置では、前記回転体（４４）は、前記ディスプレイ（２０）の前記表示画面（２１）に直交する軸周りで前記装置本体（１０）又は該装置本体（１０）に取り付けた部材（３２）に対して回転可能に支持されていてよい。
【００２２】
この構成によれば、回転機構による回転動作のみで、ディスプレイの縦向きと横向きを簡単に切り替えることが可能となる。
【００２３】
また、上記の車載装置では、前記ディスプレイ（２０）の前記表示画面（２１）は、タッチパネル式の表示画面であってもよい。
【００２４】
この構成によれば、本発明の回転機構によって、タッチパネル式の表示画面を有するディスプレイの向きを簡単に切り替えることができるので、タッチパネル式の表示画面の操作性を向上させることができる。
【００２５】
また、上記の車載装置では、前記装置本体（１０）に取り付けた部材は、該装置本体（１０）の前記前面部（１１）に対して上下方向に揺動可能に支持された揺動部（３２）であり、前記回転体（４４）は、前記揺動部（３２）に対して回転可能に支持されており、前記揺動部（３２）の揺動で前記ディスプレイ（２０）の前記表示画面（２１）の仰角が変化するようにしてよい。
【００２６】
この構成によれば、上記の回転機構と揺動機構によって、ディスプレイの表示画面の上下方向の向き（仰角）と回転方向の向き（画面の縦向きと横向き）の両方を調整することが可能となる。したがって、ディスプレイの視認性及び操作性を更に向上させることが可能となる。また、装置本体の前面部に操作スイッチや媒体ディスクの挿入口を設けている場合、ディスプレイの上下方向の向き（仰角）によっては、ディスプレイが操作スイッチの操作や挿入口への媒体ディスクの出し入れの妨げとなる場合であっても、揺動機構で当該ディスプレイの仰角を調節することで、操作スイッチの操作や挿入口への媒体ディスクの出し入れを行い易くすることができる。
なお、上記の括弧内の符号は、後述する実施形態の対応する構成要素の符号を本発明の一例として示したものである。
【発明の効果】
【００２７】
本発明にかかる車載装置によれば、表示画面の表示内容や操作内容に応じてディスプレイの向きを簡単に切り替えることができ、また、ディスプレイによって車両の装備の視認性や操作性が損なわれることを防止して車両の安全性を確保できる。
【図面の簡単な説明】
【００２８】
【図１】本発明の一実施形態にかかる車載装置の設置状態（車両に搭載した状態）を示す図である。
【図２】車載装置の外観構成を示す図で、（ａ）は、正面図、（ｂ）は、側面図、（ｃ）は、平面図である。
【図３】車載装置の連結部の内部構造を示す図で、（ａ）は、正面図、（ｂ）は、側面図、（ｃ）は、平面図である。
【図４】連結部の詳細構成を示す図で、図３（ｂ）のＢ部分拡大図（断面図）である。
【図５】連結部の詳細構成を示す図で、図３（ｃ）のＣ部分拡大図である。
【図６】揺動機構の動作を説明するための図で、（ａ）は、ディスプレイを上向きに揺動させた場合、（ｂ）は、ディスプレイを下向きに揺動させた場合を示す図である。
【図７】（ａ）は、右回転規制板を示す斜視図、（ｂ）は、左回転規制板を示す斜視図である。
【図８】右回転規制板を取り付けた状態での回転機構の動作を説明するための図である。
【図９】左回転規制板を取り付けた状態での回転機構の動作を説明するための図である。
【図１０】ディスプレイを縦向きにした状態を示す図である。
【発明を実施するための形態】
【００２９】
以下、添付図面を参照して本発明の実施形態を詳細に説明する。図１は、本発明の一実施形態にかかる車載装置の設置状態（車両に搭載した状態）を示す図である。また、図２は、車載装置の外観構成を示す図で、（ａ）は、正面図、（ｂ）は、側面図、（ｃ）は、平面図である。また、図３は、車載装置の連結部の内部構造を示す図で、（ａ）は、正面図、（ｂ）は、側面図、（ｃ）は、平面図である。これらの図に示す本実施形態の車載装置１は、車両（自動車）の車室１２０内に搭載されて映像再生装置や音楽再生装置、ナビゲーション装置等として用いられる装置である。
【００３０】
図１に示すように、車載装置１は、車室１２０内の運転席１１０の近傍、詳細には、インストルメントパネル１０５の中央に配置されたコンソールパネル１００に組み込まれて設置される装置である。この車載装置１は、装置本体１０と、ディスプレイ２０と、これら装置本体１０とディスプレイ２０を連結する連結部３０とを備えている。装置本体１０は、その前面パネル（前面部）１１のみが露出した状態でコンソールパネル１００の収容ボックス（収容部）１０１内に収容されている。収容ボックス１０１のサイズは、一例として２ＤＩＮサイズとすることができるが、これに限定されず、１ＤＩＮサイズあるいはその他のサイズであってもよい。ディスプレイ２０は、装置本体１０の前面パネル１１のサイズ（２ＤＩＮサイズ）よりも大きいサイズの表示画面２１を有するものが望ましい。ディスプレイ２０の表示画面２１のサイズは、一例として１０インチとすることができる。なお、以下の説明で前又は後というときは、図２（ｂ）に示す前又は後を指し、上又は下というときは、図２（ａ），（ｂ）に示す上又は下を指すものとし、左又は右というときは、図２（ａ），（ｃ）に示す左又は右を指すものとする。
【００３１】
また、ディスプレイ２０の表示画面２１は、タッチパネル式の表示画面である。タッチパネル式の表示画面２１は、図示しない制御部（制御回路）の制御に基づき各種表示を行う表示機構と、人の指が画面に接触するタッチ操作を検出する検出機構とを含む。表示機構は、具体的には、液晶パネルなどであり、ＬＣＤや有機ＥＬなどを含む。検出機構には、一例として静電容量式の検出機構を用いることができる。
【００３２】
連結部３０は、ディスプレイ２０を装置本体１０の前面パネル１１の手前側に張り出した位置に支持している。そして、連結部３０は、ディスプレイ２０を上下方向に揺動させる揺動機構（チルト機構）４０と、ディスプレイ２０を表示画面２１の面内で左右方向に回転させる回転機構５０とを備えている。
【００３３】
連結部３０の詳細構成について説明する。図４及び図５は、連結部３０の詳細構成を説明するための図で、図４は、図３（ｂ）のＢ部分拡大図（断面図）、図５は、図３（ｃ）のＣ部分拡大図である。なお、図３では装置の内部構造を点線で示しているが、図４では実線の断面図で示している。図５などに示すように、連結部３０は、装置本体１０の前面パネル１１から前方に突出して左右に所定間隔で配置された一対の取付片３１，３１と、ディスプレイ２０の背面部２２に取り付けられてこれら一対の取付片３１，３１の間で上下に揺動可能に支持された揺動部３２とを備える。取付片３１，３１は、互いが対象な形状で、略Ｌ字型の板状部材であり、前面パネル１１に複数本のネジ３７の締結で固定される基部３１ａと、基部３１ａの一端辺（内側の端辺）から略直角に屈曲して前側へ延びる取付部３１ｂとを一体に備えている。また、取付片３１，３１は、前面パネル１１に被せて取り付けたサイドカバー３８，３８によって覆われている。
【００３４】
揺動部３２は、外カバー３２ａで覆われており、その内部には、支持片３３が設けられている。支持片３３は、上方から見た断面形状が略コ字型で、両側の端辺３３ｂ，３３ｂと、これら端辺３３ｂ，３３ｂ同士を連結している中央の連結片３３ａ（図４参照）とを備えている。支持片３３の端辺３３ｂ，３３ｂは、一対の取付片３１，３１の取付部３１ｂ,３１ｂのそれぞれの内側に対向して設けられている。そして、上記の一対の取付片３１，３１それぞれと支持片３３の一対の端辺３３ｂ，３３ｂそれぞれとが複数のワッシャ３６を介してボルト３４とナット３５の締結で、該ボルト３４の軸周り（以下、単に「軸周り」という。）に回転自在に支持されている。ボルト３４はその軸方向が装置本体１０の左右方向（横方向）に延びている。これにより、揺動部３２が装置本体１０に対してボルト３４の軸周りに回動することで上下方向に揺動するようになっている。これにより、ディスプレイ２０の揺動機構４０が構成されている。
【００３５】
図６は、揺動機構４０の動作を説明するための図で、同図（ａ）は、ディスプレイ２０を上向きに揺動させた場合、同図（ｂ）は、ディスプレイ２０を下向きに揺動させた場合を示す図である。同図に示すように、連結部３０の揺動機構４０は、ボルト３４（以下、軸部３４という。）を中心にディスプレイ２０の表示画面２１が上方を向くように傾けたり、ディスプレイ２０の表示画面２１が下方を向くように傾けたりすることで、ディスプレイ２０を上下に揺動（チルト）させる（仰角を変える）ことができる。
【００３６】
すなわち、操作者がディスプレイ２０を持ち上げることで、ディスプレイ２０が軸部３４を中心に上向きに揺動する。これにより、ディスプレイ２０を起こす向き（図６（ａ）に示す向き）に傾けることができる。一方、操作者がディスプレイ２０を手前に倒すことで、ディスプレイ２０が軸部３４を中心に下向きに揺動する。これにより、ディスプレイ２０を倒す向き（図６（ｂ）に示す向き）に傾けることができる。このように、操作者がディスプレイ２０を手で持って上下に動かすことでディスプレイ２０の上下方向の向き（仰角）を変えることができる。操作者がディスプレイ２０から手を離すと、ディスプレイ２０はその位置（向き）で停止する。
【００３７】
なお、図２、３および図６に示すように、装置本体１０の前面パネル１１の上段には、電源ボタン１５、ＤＶＤやＣＤなどの媒体ディスクを挿入するためのディスク挿入口１２及びディスク取出ボタン１３が設けられており、下段には、複数の操作ボタン１４が設けられている。これら電源ボタン１５、ディスク挿入口１２及びディスク取出ボタン１３、操作ボタン１４は、図２及び図３に示すように、ディスプレイ２０の表示画面２１が垂直の状態、あるいは垂直よりも下向きに傾いた状態では、ディスプレイ２０の下端部によってその前方が遮られた状態となっている。したがってその状態では、ディスク挿入口１２をディスプレイ２０の手前側から視認できないか、電源ボタン１５を押して電源の入切を操作したり、ディスク取出ボタン１３を操作してディスク挿入口１２から媒体ディスク（図示せず）を出し入れしたりすることができない。そのため、電源ボタン１５を操作したり、媒体ディスクをディスク挿入口１２から出し入れしたりするには、操作者がディスプレイ２０を手で持ち上げることで、図６（ａ）に示すように、ディスプレイ２０を揺動機構４０の軸部３４を中心に上向き方向に揺動させて、装置本体１０の前面パネル１１の上部をディスプレイ２０の手前側から視認できる状態とする。この状態で、電源ボタン１５を操作したり、媒体ディスクをディスク挿入口１２から出し入れしたりすることができる。
【００３８】
また、図４に示すように、連結部３０は、揺動部３２内（外カバー３２ａ内）に設置した円筒状の筒状部材４１と、該筒状部材４１の外周に設置したコイルスプリング（付勢部材）４２と、外カバー３２ａの前端側に固定された略円形平板状の固定板４３と、ディスプレイ２０の背面部２２に固定されると共に固定板４３に対して同軸上で相対回転可能に支持された略円形平板状の回転板（回転体）４４とを備えている。筒状部材４１は、揺動部３２内の左右の中央において、その中心軸の軸方向が前後方向となるように配置されている。また、筒状部材４１は、前側部分が支持片３３の連結片３３ａ、固定板４３の中心及び回転板４４の中心、ディスプレイ２０の後壁２３をこの順に貫通しており、前端部４１ａの近傍が係止板５５でディスプレイ２０の後壁２３に係止されている。また、筒状部材４１の後端は、手前側に対して段状に拡径した係止部４１ｂとなっており、コイルスプリング４２は、この係止部４１ｂと支持片３３の連結片３３ａとの間に圧縮された状態で設置されている。これにより、回転板４４はコイルスプリング４２の付勢力で固定板４３に向けて付勢されており、固定板４３と回転板４４の対向する面同士がコイルスプリング４２の付勢力で押し当てられた状態で当接している。上記の回転板４４は、ディスプレイ２０を表示画面２１の面内で左右に回転させる回転機構５０を構成している。この回転機構５０によって、横向きのディスプレイ２０を左右に９０度ずつ回転させることで縦向きに切り替えることができる。
【００３９】
さらに、連結部３０は、回転板４４に設けた係合突起４４ａと、この係合突起４４ａに係合することで回転板４４の回転を規制する回転規制板（回転規制部材）４５（４５Ａ，４５Ｂ）と、固定板４３に設けた係合突起４３ａ１，４３ａ２とを備える。回転規制板４５は、揺動部３２の外カバー３２ａに設けた取付部３２ｂにネジ４９の締結で着脱可能に取り付けられる。
【００４０】
回転板４４は、外縁が円形の平板状部材であり、係合突起４４ａは、回転板４４の外縁から径方向の外側（真上方向）へ突出する小突起である。一方、回転規制板４５は、係合突起４４ａの左右の側面のうちいずれか一方の側面のみに当接することで回転板４４の一方向の回転のみを規制する規制片４８（図７に示す右規制片４８ａ又は左規制片４８ｂ）を備えている。また、固定板４３は、回転板４４と同一寸法の外形を有する外縁が円形の平板状部材であり、係合突起４３ａ１，４３ａ２は、固定板４３の外縁から径方向の外側（左右方向それぞれ）へ突出する一対の小突起である。
【００４１】
図７は、回転規制板４５を示す斜視図で、同図（ａ）は、右回転規制板４５Ａを示す図、同図（ｂ）は、左回転規制板４５Ｂを示す図である。回転規制板４５には、係合突起４４ａの右側の側面に当接することで回転板４４の右向きの回転を規制する右回転規制板４５Ａと、係合突起４４ａの左側の側面に当接することで回転板４４の左向きの回転を規制する左回転規制板４５Ｂとがある。右回転規制板４５Ａは、同図（ａ）に示すように、細長い平板状の上板部４６ａと、上板部４６ａの長手方向の両端近傍に形成した一対のネジ穴４７ａ，４７ａと、上板部４６ａの長端辺の一端側から略直角に屈曲して突出する右規制片４８ａとを備える。同様に、左回転規制板４５Ｂは、同図（ｂ）に示すように、細長い平板状の上板部４６ｂと、上板部４６ｂの長手方向の両端近傍に形成した一対のネジ穴４７ｂ，４７ｂと、上板部４６ｂの長端辺の他端側から略直角に屈曲して突出する左規制片４８ｂとを備える。
【００４２】
揺動部３２の取付部３２ｂは、右回転規制板４５Ａと左回転規制板４５Ｂのいずれか一方又は両方を取り付け可能に構成されている。したがって、取付部３２ｂに右回転規制板４５Ａのみを取り付けることで、回転板４４の右向きの回転が規制された状態となる。また、取付部３２ｂに左回転規制板４５Ｂのみを取り付けることで、回転板４４の左向きの回転が規制された状態となる。さらに、取付部３２ｂに右回転規制板４５Ａと左回転規制板４５Ｂの両方を取り付けることで、回転板４４の右向きの回転と左向きの回転の両方が規制された状態となる。
【００４３】
図８及び図９は、回転機構５０の動作を説明するための図であり、図８及び図９はそれぞれ、右回転規制板４５Ａと左回転規制板４５Ｂを取り付けた状態での回転機構５０の動作を説明するための図である。まず、図８を用いて右回転規制板４５Ａを取り付けた状態での回転機構５０の動作を説明する。図８（ａ）に示すように、回転機構５０の係合突起４４ａが回転板４４の真上に位置している状態では、ディスプレイ２０が横向きになっている。以下、この位置をディスプレイ２０の初期位置という。また、この初期位置でディスプレイ２０の中心Ｍ１と揺動部３２の筒状部材４１の中心（軸心）Ｍ２との左右方向の位置が一致している。そして、この初期位置からディスプレイ２０を右向きに回転させようとしても、その向きへの回転板４４の係合突起４４ａの移動が右規制片４８ａで規制されるため、ディスプレイ２０を右向きには回転させることができない。したがって、ディスプレイ２０は、左向きにのみ回転させることができる。ディスプレイ２０を左向きに回転させていくと、回転機構５０の係合突起４４ａが回転板４４の左上の斜め４５度の位置を通過し、最終的に、同図（ｂ）に示すように、回転機構５０の係合突起４４ａが回転板４４の左側の真横に位置している状態となり、その位置で係合突起４４ａが係合突起４３ａ１に当接して回転板４４の回転が停止する。この位置では、同図（ａ）の初期位置から係合突起４４ａが左向きに９０度回転した状態で、ディスプレイ２０が縦向きとなる。またこの位置では、ディスプレイ２０の中心Ｍ１は、装置本体１０の筒状部材４１の中心Ｍ２よりも左側にずれた位置となっている。したがって、ディスプレイ２０が装置本体１０に対して中心よりも左側に偏った位置で縦向きに支持された状態となる。
【００４４】
次に、図９を用いて左回転規制板４５Ｂを取り付けた状態での回転機構５０の動作を説明する。この場合は、図９（ａ）に示すディスプレイ２０が横向きの状態である初期位置から、ディスプレイ２０を左向きに回転させようとしても、その向きの回転板４４の係合突起４４ａの移動が左規制片４８ｂで規制されるため、ディスプレイ２０を左向きには回転させることができない。したがって、図９（ａ）の初期位置からディスプレイ２０を図の右向きにのみ回転させることができる。こうして、ディスプレイ２０を右向きに回転させていくと、回転機構５０の係合突起４４ａが回転板４４の右斜め上４５度の位置を通過し、最終的に、同図（ｂ）に示すように、回転機構５０の係合突起４４ａが回転板４４の右側の真横に位置している状態となり、その位置で係合突起４４ａが係合突起４３ａ２に当接して回転板４４の回転が停止する。この位置では、ディスプレイ２０が縦向きとなる。またこの位置で、ディスプレイ２０の中心Ｍ１は、装置本体１０の筒状部材４１の中心Ｍ２よりも右側にずれた位置となっている。したがって、ディスプレイ２０が装置本体１０に対して中心よりも右側に偏った位置で縦向きに支持された状態となる。
【００４５】
なお、詳細な図示は省略するが、取付部３２ｂに右回転規制板４５Ａと左回転規制板４５Ｂの両方を取り付けた場合には、右回転規制板４５Ａの右規制片４８ａと左回転規制板４５Ｂの左規制片４８ｂとで回転板４４の係合突起４４ａの左右両側が挟まれた状態となるので、回転板４４は左右のどちらにも回動しない。したがって、回転機構５０は機能せず、ディスプレイ２０は初期位置において横向きで固定された状態となる。
【００４６】
以上説明したように、本実施形態の車載装置１によれば、車両の車室１２０内のコンソールパネル１００に設けられた収容ボックス１０１内に収容されてその前面パネル１１のみが露出した状態で設置される装置本体１０と、前面に表示画面２１を有する略長方形状のディスプレイ２０と、装置本体１０の前面パネル１１とディスプレイ２０の背面部２２とを連結する連結部３０とを備えている。
【００４７】
そして、本実施形態の車載装置１によれば、装置本体１０とディスプレイ２０を連結する連結部３０は、ディスプレイ２０を表示画面２１の面内で左右に回転させる回転機構５０を備えることで、略長方形状のディスプレイ２０を表示画面２１の面内で回転させてその向き（縦向き／横向き）を切り替えることが可能となる。これにより、表示画面２１の表示内容や操作内容に応じてディスプレイ２０を縦向きと横向きとで切り替えて使用することができるので、ディスプレイ２０を備えた車載装置１の利便性を向上させることができる。
【００４８】
また、本実施形態の車載装置１の回転機構５０は、ディスプレイ２０の背面部２２側に固定されると共に揺動部３２に対して回転可能に支持された回転板４４と、この回転板４４に設けた係合突起４４ａと、揺動部３２の取付部３２ｂに対して着脱可能に取り付けられて係合突起４４ａに係合することで回転板４４の回転を規制する回転規制板４５（４５Ａ，４５Ｂ）とを備えている。
【００４９】
この構成によれば、揺動部３２の取付部３２ｂに回転規制板４５（４５Ａ，４５Ｂ）を取り付けることでディスプレイ２０の回転を規制することが可能となる。これにより、例えば、ディスプレイ２０を回転させると上記のハザードスイッチ１０７やセレクトレバー１０９と干渉したりそれらの視認性を損ねたりする場合には、回転規制板４５を取り付けることでディスプレイ２０の回転を規制すれば、ディスプレイ２０がハザードスイッチ１０７やセレクトレバー１０９と干渉したりそれらの視認性を損ねたりすることを防止できる。したがって、安全性や操作性に優れた車載装置１となる。
【００５０】
また、本実施形態の車載装置１によれば、連結部３０の回転機構５０を用いることにより、ディスプレイ２０を左右方向に９０度ずつ回転させることができる。これにより、横向きのディスプレイ２０の位置（図１に示す位置）ではハザードスイッチ１０７の視認性や操作性が阻害されるような場合であっても、図１０に示すように、ディスプレイ２０を左右方向に回転させて縦向きとすることにより、ハザードスイッチ１０７の視認性や操作性を確保することが可能になる。また、横向きのディスプレイ２０の初期位置では、セレクトレバー１０９と干渉する場合（セレクトレバー１０９とディスプレイ２０が直接干渉しなくても、セレクトレバー１０９を操作する際に操作者の手がディスプレイ２０に当たるなど操作の妨げとなる場合を含む。）であっても、ディスプレイ２０を左右方向に回転させて縦向きとすることにより、セレクトレバー１０９との干渉を回避することが可能になる。あるいは、例えば、横向きのディスプレイ２０の初期位置ではセレクトレバー１０９と干渉しないが、右向きに回転させた位置（図９（ｂ）に示す位置）でのみセレクトレバー１０９と干渉する場合には、あらかじめ取付部３２ｂに右回転規制板４５Ａを取り付けておく。こうすることで、ディスプレイ２０が右向きに回転することを規制して、ディスプレイ２０の左向きの回転のみを許容することができるので、操作者が誤ってディスプレイ２０を右向きに回転させてしまいセレクトレバー１０９と干渉することを確実に防止できるようになる。
【００５１】
このように、本実施形態の車載装置１によれば、搭載する車種に応じて取り付ける回転規制板４５（４５Ａ，４５Ｂ）を選択することによって、車両の装備とディスプレイ２０が干渉したり視認性を妨げたりすることを防止しながらも、ディスプレイ２０を縦向きと横向きとで切り替えて使用することが可能となる。したがって、搭載する車種として幅広い車種を選択可能とすることで製品の汎用性を確保しながらも、使用時の安全性の向上と利便性の向上との両立を図ることができる。
【００５２】
また、回転板４４は、外縁が円形の板状部材であり、係合突起４４ａは、回転板４４の外縁から径方向の外側へ突出する突起であり、回転規制板４５は、係合突起４４ａの一方の側面のみに当接することで回転板４４の一方向の回転のみを規制する規制片４８ａ，４８ｂを備えている。
【００５３】
この構成によれば、回転規制板４５によって回転板４４の一方向の回転のみを規制することができるので、例えば、ディスプレイ２０を当該一方向に回転させるとハザードスイッチ１０７やセレクトレバー１０９と干渉したりそれらの視認性を損ねたりする場合には、回転規制板４５を取り付けることでディスプレイ２０の当該方向への回転を規制することで、ディスプレイ２０がそれらと干渉したり視認性を損ねたりすることを防止できる。その一方で、ディスプレイ２０の他方向の回転は確保されるので、当該他方向の回転による車載装置１の操作性及び取扱性の向上を図ることが可能となる。したがって、簡単な構成で車載装置１の使用時の安全性の確保と操作性及び取扱性の向上との両立を図ることができる。
【００５４】
さらに、回転規制板４５は、係合突起４４ａの右側の側面のみに当接することで回転板４４の右向きの回転を規制する右回転規制板４５Ａと、係合突起４４ａの左側の側面のみに当接することで回転板４４の左向きの回転を規制する左回転規制板４５Ｂとを含んでいる。そして、取付部３２ｂは、右回転規制板４５Ａと左回転規制板４５Ｂのいずれか一方又は両方を取り付け可能に構成されている。これにより、取付部３２ｂに右回転規制板４５Ａのみを取り付けることで回転板４４の右向きの回転が規制され、取付部３２ｂに左回転規制板４５Ｂのみを取り付けることで回転板４４の左向きの回転が規制される。さらに、取付部３２ｂに右回転規制板４５Ａと左回転規制板４５Ｂの両方を取り付けることで、回転板４４の右向きの回転と左向きの回転の両方が規制される。したがって、取付部３２ｂに取り付ける回転規制板４５の種類と数を変えるだけで、ディスプレイ２０の回転が許容される向きを所望の向きに設定することが簡単に行えるようになる。また、ディスプレイ２０を回転させたくない場合には、右回転規制板４５Ａと左回転規制板４５Ｂの両方を取り付けるだけで、ディスプレイ２０の左右両方への回転を規制できる。
【００５５】
また、上記の車載装置１では、回転板４４は、ディスプレイ２０の表示画面２１に直交する軸周りで回転可能に支持されている。この構成によれば、回転機構５０による回転動作のみで、ディスプレイ２０の縦向きと横向きを簡単に切り替えることが可能となる。
【００５６】
また、本実施形態の車載装置１では、ディスプレイ２０の表示画面２１は、タッチパネル式の表示画面である。この構成によれば、回転機構５０によって、タッチパネル式の表示画面２１を有するディスプレイ２０の向きを簡単に切り替えることができるので、タッチパネル式の表示画面２１の操作性を向上させることができる。
【００５７】
また、本実施形態の車載装置１では、装置本体１０に取り付けた部材は、該装置本体１０の前面パネル１１に対して上下方向に揺動可能に支持された揺動部３２であり、回転板４４は、揺動部３２に対して回転可能に支持されており、揺動部３２の揺動でディスプレイ２０の表示画面２１の仰角が変化するようになっている。
【００５８】
この構成によれば、上記の回転機構５０と揺動機構４０によって、ディスプレイ２０の表示画面２１の上下方向の向き（仰角）と回転方向の向き（画面の縦向きと横向き）の両方を調整することが可能となる。したがって、ディスプレイ２０の視認性及び操作性を更に向上させることが可能となる。また、装置本体１０の前面パネル１１に操作ボタン１４やディスク挿入口１２を設けている場合、ディスプレイ２０の上下方向の向き（仰角）によっては、ディスプレイ２０が操作ボタン１４の操作やディスク挿入口１２への媒体ディスクの出し入れの妨げとなる場合であっても、揺動機構４０で当該ディスプレイ２０の仰角を調節することで、操作ボタン１４の操作やディスク挿入口１２への媒体ディスクの出し入れを行い易くすることができる。
【００５９】
また、上記の車載装置１では、ディスプレイ２０の表示画面２１は長方形状であり、回転板４４は初期位置から左右９０度ずつのみ回転が可能であり、回転板４４が初期位置で表示画面２１が横向きであり、回転板４４が初期位置から左右それぞれに９０度回転すると表示画面２１が縦向きとなる。
【００６０】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態の車載装置１は、ディスプレイ２０を表示画面の面内で回転可能に支持する回転機構と、ディスプレイを上下方向に揺動させる揺動機構４０の両方を備える場合を示したが、本発明の車載装置は、回転機構のみを備える構成であってもよい。また、また、回転機構５０の具体的な構成は一例であり、本発明の回転機構５０はディスプレイを表示画面の面内で回転可能に支持するものであれば、他の構成であってもよい。
【００６１】
また、図１０では、車載装置１を右ハンドル車に取り付けた場合を示したが、本発明の車載装置は、図示は省略するが、左ハンドル車に取り付けることも可能である。
【符号の説明】
【００６２】
１ 車載装置
１０ 装置本体
１１ 前面パネル（前面部）
１２ ディスク挿入口
１３ ディスク取出ボタン
１４ 操作ボタン
１５ 電源ボタン
２０ ディスプレイ
２１ 表示画面
２２ 背面部
２３ 後壁
３０ 連結部
３１，３１ 取付片
３２ 揺動部（装置本体に取り付けた部材）
３２ａ 外カバー
３２ｂ 取付部
３３ 支持片
３４ ボルト（軸部）
３５ ナット
３６ ワッシャ
３７ ネジ
３８ サイドカバー
４０ 揺動機構
４１ 筒状部材
４２ コイルスプリング
４３ 固定板（固定部材）
４３ａ（４３ａ１，４３ａ２） 係合突起
４４ 回転板（回転体）
４４ａ 係合突起
４５ 回転規制板（回転規制部材）
４５Ａ 右回転規制板（右回転規制部材）
４５Ｂ 左回転規制板（左回転規制部材）
４６ａ，４６ｂ 上板部
４７ａ，４７ｂ ネジ穴
４８ 規制片
４８ａ 右規制片
４８ｂ 左規制片
４９ ネジ
５０ 回転機構
５５ 係止板
１００ コンソールパネル
１０１ 収容ボックス（収容部）
１０５ インストルメントパネル
１０７ ハザードスイッチ（操作スイッチ）
１０９ セレクトレバー
１１０ 運転席
１２０ 車室
【図１】
2019182059.tif 000003
【図２】
2019182059.tif 000004
【図３】
2019182059.tif 000005
【図４】
2019182059.tif 000006
【図５】
2019182059.tif 000007
【図６】
2019182059.tif 000008
【図７】
2019182059.tif 000009
【図８】
2019182059.tif 000010
【図９】
2019182059.tif 000011
【図１０】
2019182059.tif 000012